(57)【特許請求の範囲】
【請求項１】
コンクリート系の成形板からなる型枠本体の内面および下端面に断熱材を取り付けてなる打込型枠を用い、該打込型枠を外装材を兼ねる外型枠として用いて外断熱構造の外壁を形成するとともに、その外壁の外側に突出する外部スラブと外壁との取り合い部において熱橋が生じることを防止するための熱橋防止用断熱材を外部スラブの基部上下両面に取り付け、それら熱橋防止用断熱材を前記打込型枠における断熱材に対して連続せしめてなる外断熱構造の建物であって、
前記外部スラブの基部下面表層部に前記熱橋防止用断熱材を打ち込んで該熱橋防止用断熱材を前記外型枠の断熱材の上端面に連続せしめ、かつ前記外部スラブの基部上面には幅木あるいは水切りとして機能するブロック体を取り付けるとともに、そのブロック体の底面に熱橋防止用断熱材を一体に取り付けておき、該熱橋防止用断熱材を前記型枠本体の下端面に取り付けた前記断熱材に連続せしめたことを特徴とする外断熱構造の建物。
【発明の詳細な説明】
【０００１】
【発明の属する技術分野】
本発明は、躯体の外側に断熱材を取り付けてなる外断熱構造の建物に関する。
【０００２】
【従来の技術】
ＲＣ造ないしＳＲＣ造の建物の断熱性能を向上させるために外壁に断熱材を取り付ける場合、従来一般には躯体の内側に断熱材を取り付けるいわゆる内断熱構造とすることが通常であったが、内断熱構造では断熱材と躯体との間において内部結露が生じることがあるので、断熱材の剥離、ダニやカビの発生等が問題となる場合がある。そのため、最近においては図４に示すように外壁ａや梁ｂの外側に断熱材ｃを取り付ける外断熱構造が着目されており、そのような構造の建物が広く普及する気運にある。
【０００３】
【発明が解決しようとする課題】
ところで、図４に示しているように、バルコニーや外廊下として使用される外部スラブｄが外壁ａの外側に突出する状態で設けられる場合、その取り合い部での断熱を考慮しないと熱橋（ヒートブリッジ）が生じて熱ロスや結露が生じることが懸念されるので、従来においてはそのような熱橋を防止するために室内側にも断熱材ｅを取り付けることが一般的である。
【０００４】
しかし、上記のように一部であるとはいえ室内側にも断熱材ｅを取り付けることは外断熱の主旨にもとるものであるし、室内に断熱材ｅを取り付けるがために内装仕上げが制約を受けたりその施工が複雑化する等の問題もあり、そのような問題を解決し得る有効な手段の開発が望まれていた。
【０００５】
【課題を解決するための手段】
上記事情に鑑み、本発明は、コンクリート系の成形板からなる型枠本体の内面および下端面に断熱材を取り付けてなる打込型枠を用い、該打込型枠を外装材を兼ねる外型枠として用いて外断熱構造の外壁を形成するとともに、その外壁の外側に突出する外部スラブと外壁との取り合い部において熱橋が生じることを防止するための熱橋防止用断熱材を外部スラブの基部上下両面に取り付け、それら熱橋防止用断熱材を前記打込型枠における断熱材に対して連続せしめてなる外断熱構造の建物であって、
前記外部スラブの基部下面表層部に前記熱橋防止用断熱材を打ち込んで該熱橋防止用断熱材を前記外型枠の断熱材の上端面に連続せしめ、かつ前記外部スラブの基部上面には幅木あるいは水切りとして機能するブロック体を取り付けるとともに、そのブロック体の底面に熱橋防止用断熱材を一体に取り付けておき、該熱橋防止用断熱材を前記型枠本体の下端面に取り付けた前記断熱材に連続せしめたことを特徴とする。
【０００７】
【発明の実施の形態】
図１は本発明の一実施形態である外断熱構造の建物の外壁部の躯体を示す図、図２は本実施形態において用いる打込型枠１の一例を示す図である。
【０００８】
図２に示す打込型枠１は、コンクリート系の成形板からなる型枠本体２の内面側に、トラス筋３を突出する状態で設け、かつ型枠本体２の内面に断熱材４を取り付けてなるものである。
【０００９】
型枠本体２としては厚さ１００ｍｍ程度のプレキャストコンクリート版（ＰＣａ版）あるいは気泡コンクリート版（ＡＬＣ版）が採用されている。この型枠本体２はそのまま外装材となるので、その外面には予め所望の外装仕上げを施しておくことができ、たとえば外装仕上げがタイル貼りの場合には型枠本体２の外面に予めタイルを貼り付けておけば良い。
【００１０】
トラス筋３は、防錆処理を施した鉄筋、あるいはステンレスや樹脂等の線材を溶接あるいは緊結してトラス状に形成してなるもので、高さ寸法の半分程度が型枠本体２に埋設され、他を型枠本体２の内面側に突出させた状態で型枠本体２に一体に組み付けられたものである。
【００１１】
断熱材４としてはたとえば硬質ウレタンフォーム等の発泡系断熱材を用い、それを所定厚さ（一般的には２０〜３０ｍｍ程度、寒冷地仕様としては５０ｍｍ程度ないしそれ以上）となるように型枠本体２の内面に吹き付けて形成することが好適であり、必要に応じて断熱材４の表面にたとえばアスファルトエマルジョン系の防湿材を塗布する等して防湿層を形成することが好ましい。なお、本例の打込型枠１には（ａ），（ｃ）に示しているようにその下端面にも同様の断熱材４ａが取り付けられていて、この断熱材４ａが後述する熱橋防止用断熱材８に連続するようになっている。
【００１２】
本実施形態の建物は、図１に示すように上記の打込型枠１を外壁５および梁６、柱（柱の図示は省略）の外型枠として採用することで、それをトラス筋３を介して躯体に一体化せしめてそのまま外装材とし、かつそのようにして形成される躯体の外側に断熱材４を自ずと介装するようにしたものである。
【００１３】
また、この建物では外壁５の外側に突出する状態で外部スラブ７が設けられていて、その外部スラブ７の基部上下両面には熱橋防止用断熱材８が上記の断熱材４，４ａに隙間なく連続するようにそれぞれ取り付けられ、それらにより外部スラブ７と外壁５および内部のスラブ９との間の熱橋（ヒートブリッジ）が防止されて熱ロスや結露を防止し得るものとなっている。熱橋防止用断熱材８の厚みや寸法は所望の熱橋防止性能が確保できるように設定すれば良いが、硬質ウレタンフォーム等の発泡系断熱材を用いる場合においてはその厚みを２０ｍｍ程度とし、外壁５から２００ｍｍ程度の範囲に取り付けることで十分な効果が得られる。
【００１４】
そして、本実施形態では、図１に示しているように外部スラブ７の下面側に取り付ける熱橋防止用断熱材８は外部スラブ７の下面表層部に打ち込んでいるが、外部スラブ７の上面側に対しては、所定形状のブロック体１０の底面に予め熱橋防止用断熱材８を一体に組み付けておき、そのブロック体１０を幅木を兼ねるものとして外部スラブ７の基部上面に設置することで、打込型枠１の下端面に取り付けた断熱材４ａに対して熱橋防止用断熱材８を連続せしめるようにしている。ブロック体１０としてはプレキャストコンクリート製のものや石材、陶磁器、煉瓦によるものが好適に採用可能である。
【００１５】
本実施形態の建物は、トラス筋３と断熱材４を取り付けた打込型枠１を用いて外壁５と梁６および柱を形成することにより、断熱性能に優れかつ内部結露が生じることもない外断熱構造の躯体が極めて効率的に施工できるものであるし、外壁５と外部スラブ７との取り合い部に熱橋防止用断熱材８を取り付けることでそこでの熱橋を有効に防止できるものである。そして、その熱橋防止用断熱材８を外部スラブ７の基部上下両面にそれぞれ取り付けることとしたので、図４に示した従来の外断熱構造の場合のように室内側に断熱材ｅを取り付ける必要が一切なくなり、そのため完全な外断熱構造を実現できるし、従来のように室内の一部に断熱材ｅを取り付けるがために内装仕上げが制約を受けたりその施工が複雑になることもない。また、熱橋防止用断熱材８を予め組み込んだブロック体１０を製作しておいてそれを幅木として外部スラブ７の基部上面に設置することで、ブロック体１０により熱橋防止用断熱材８を自ずと保護できるし、施工も容易であり、見映えも優れたものとなる。
【００１６】
なお、上記実施形態は、熱橋の生じる懸念のある外部スラブ７の基部上下両面に熱橋防止用断熱材８を取り付ける限りにおいて適宜の設計的変更が可能であり、たとえば図３に示すように掃き出し窓等の開口部１２が設けられている場合には、ブロック体１０の上部に水切りプレート１３を取り付けることでブロック体１０に水切りの機能を持たせれば良い。また、本発明は、成形板からなる型枠本体の内面および下端面に断熱材を取り付けた打込型枠を用いるとともに、底面に熱橋防止用断熱材を取り付けたブロック体を用いて、打込型枠の断熱材と、外部スラブの基部下面表層部に打ち込んだ熱橋防止用断熱材、およびブロック体の底面に取り付けた熱橋防止用断熱材とをそれぞれ隙間なく連続させて取り付けるようにする限りにおいて各部の構成は特に限定されるものではない。
【００１７】
【発明の効果】
本発明は、コンクリート系の成形板からなる型枠本体の内面および下端面に断熱材を取り付けてなる打込型枠を用い、該打込型枠を外装材を兼ねる外型枠として用いて外断熱構造の外壁を形成するとともに、その外壁の外側に突出する外部スラブと外壁との取り合い部において熱橋が生じることを防止するための熱橋防止用断熱材を外部スラブの基部上下両面に取り付け、それら熱橋防止用断熱材を前記打込型枠における断熱材に対して連続せしめたので、断熱性能に優れかつ内部結露が生じることもない外断熱構造の躯体が極めて効率的に施工できるものであるし、外壁と外部スラブとの取り合い部での熱橋を有効に防止できることはもとより、従来において必要であった室内側の断熱材を省略して完全な外断熱構造を実現できるし、内装仕上げが制約を受けたりその施工が複雑化するようなことを回避することができ、極めて有効である。
【００１８】
また、幅木あるいは水切りとして機能するブロック体の底面に熱橋防止用断熱材を一体に取り付けておき、そのブロック体を外部スラブの基部上面に取り付けるので、ブロック体により熱橋防止用断熱材を自ずと保護できるし、施工も容易であり、見映えも優れる利点がある。
【図面の簡単な説明】
【図１】  本発明の一実施形態である建物の躯体を示す断面図である。
【図２】  同、打込型枠の概略構成を示す図である。
【図３】  本発明の他の実施形態である建物の躯体を示す断面図である。
【図４】  従来の外断熱構造を示す図である。
【符号の説明】
１  打込型枠
２  型枠本体
４，４ａ  断熱材
５  外壁
７  外部スラブ
８  熱橋防止用断熱材
１０  ブロック体
【図１】
0003648684.tif 000002
【図２】
0003648684.tif 000003
【図３】
0003648684.tif 000004
【図４】
0003648684.tif 000005